(57)【要約】 【課題】  トローリング漁法等、船釣りで使用される極端に長い釣糸仕掛けであっても、釣糸仕掛けを手でたぐり寄せること無く、掛かった魚を玉網等で直接取り込めることが可能になるまで、リールによる釣糸の巻取を充分に行うことができ、更には、釣糸に容易に着脱することができる構造を備えた船釣り用釣具を提供することを目的とする。【解決手段】  釣糸を走行自在に挿通する釣糸通路と、前記釣糸通路へ釣糸を導入し且つ該釣糸通路から釣糸を取外し可能とする釣糸着脱手段とで構成される釣糸案内部が、間隔を明けて左右に設けられており、上記左右の釣糸案内部間の釣糸を挟持し、該釣糸に所定値以上の引張力が作用した場合に、該釣糸の挟持が解放される釣糸挟持部を備える。【選択図】  図１
2006288274.tif 000002
【特許請求の範囲】
【請求項１】
釣糸を走行自在に挿通する釣糸通路と、前記釣糸通路へ釣糸を導入し且つ該釣糸通路から釣糸を取外し可能とする釣糸着脱手段とで構成される釣糸案内部が、間隔を明けて左右に設けられてなり、
上記左右の釣糸案内部間の釣糸を挟持し、該釣糸に所定値以上の引張力が作用した場合に、該釣糸の挟持が解放される釣糸挟持部を備えたことを特徴とする、船釣り用釣具。
【請求項２】
錘及び浮力体の少なくともいずれかを着脱可能に備えた取付部材において、
釣糸が走行自在に挿通される釣糸通路と、前記釣糸通路へ釣糸を導入し且つ該釣糸通路から釣糸を取外し可能とする釣糸着脱手段とで構成される釣糸案内部が、間隔を明けて左右に設けられてなり、
上記左右の釣糸案内部間の釣糸を挟持し、該釣糸に所定値以上の引張力が作用した場合に、該釣糸の挟持が解放される釣糸挟持部を前記取付部材に設けたことを特徴とする、請求項１に記載の船釣り用釣具。
【請求項３】
前記釣糸挟持部は、上記取付部材において、前記釣糸案内部が設けられた面側と反対の面側の位置に設けられたことを特徴とする、請求項２に記載の船釣り用釣具。
【請求項４】
前記取付部材において、釣糸案内部間の釣糸を取り回して、釣糸挟持部に案内するようにガイド部が突設されたことを特徴とする、請求項２に記載の船釣り用釣具。
【請求項５】
釣糸が走行自在に挿通される釣糸通路と、前記釣糸通路へ釣糸を導入し且つ該釣糸通路から釣糸を取外し可能とする釣糸着脱手段とで構成される釣糸案内部が、間隔を明けて浮力体の左右に設けられてなり、
上記左右の釣糸案内部間の釣糸を挟持し、該釣糸に所定値以上の引張力が作用した場合に、該釣糸の挟持が解放される釣糸挟持部を前記浮力体に設けたことを特徴とする、請求項１に記載の船釣り用釣具。
【請求項６】
前記浮力体において上記左右の釣糸案内部間に設けられ、
上記釣糸挟持部が釣糸を挟持している状態において、上記左右の釣糸案内部間の釣糸を張架させて、上記釣糸挟持部に案内するガイド通路を備えたことを特徴とする、請求項５に記載の船釣り用釣具。
【発明の詳細な説明】
【技術分野】
【０００１】
本発明は、釣糸に容易に着脱することができ、リールによる巻取が可能な釣糸長さを調整できる機能を有する船釣り用釣具に関するものである。
【背景技術】
【０００２】
マグロ、カジキ等の中大型魚の漁獲を目的とするトローリング漁法は、図１１に示すように、ルアーＦを先端部に設けた釣糸仕掛けと釣糸Ａとを潜行板Ｇ又はヒコーキＨを介して連結して釣具を構成し、潜行板Ｇ又はヒコーキＨからルアーＦまでの仕掛け部分を海中に投入し、漁船Ｉで釣糸仕掛けを曳き流すことにより行われる。
【０００３】
上記の潜行板Ｇは、ルアーＦを所定の深さに維持しつつ水中で左右に振る動作を行い、仕掛けの先端に設けられたルアーＦの動きを変化させる。また、上記のヒコーキＨは、水面を滑走して水飛沫を上げることにより、カモメが鳥山で鰯を捕る状態を作り出すともに、走航海域の魚群を音で誘導する等、中大型魚の漁獲のための重要な機能を有する。
【０００４】
従来から、船釣りの場合、釣竿よりも長い釣糸仕掛けが用いられる。例えば、上記のトローリング漁法では、約１．８ｍ程度の釣竿Ｄが使用されるが、潜行板Ｇを使用した釣糸仕掛けとして、約１．７〜４．５ｍの長さのものが使用される。また、ヒコーキＨを用いたトローリング漁法の場合、その釣糸仕掛けの長さは３０ｍ以上に達する。しかし、上記の従来のトローリング漁法の釣糸仕掛けは、潜行板Ｇ又はヒコーキＨに結着固定されているため、釣り人は、釣糸仕掛けの釣糸部分をリールで巻き取ることができず、手でたぐり寄せる必要があった。
【０００５】
そのため、釣糸仕掛けに中大型魚が掛かった場合、海側へ強い引張力が釣糸仕掛けに作用して、特に魚の取り込みの際、釣り人等のボートの乗員が手指を損傷し、海へ転落する危険も高いという問題があった。また、比較的小型の魚が掛かった場合であっても直に釣り上げることができず、魚を釣り上げるときの醍醐味を充分に味わうことができないという問題があった。
【０００６】
また、水深が比較的深い海域で浮き釣りをする場合、釣糸仕掛けの長さも必然的に長くなるため、中通し浮子が通常使用される。しかし、中通し浮子は、道糸の目印的なものに過ぎず、魚感に優れた釣糸仕掛けを構成することは困難である。
【０００７】
特開平６−２８４８４２号公報には、リール用釣竿上に所要の間隔を存して立設された道糸ガイド内を走行自在の細長体に形成された道糸と釣糸仕掛けの連結装置が開示されている。この発明によれば、道糸をリール竿の道糸ガイドに挿通することが極めて容易になるとともに、道糸と釣糸仕掛けの連結及び離脱を容易に行うことができる。しかしながら、上記の発明によっても、巻き取り可能な釣糸部分は、道糸ガイドの内径に制限される。従って、極端に長い釣糸仕掛けにおいて、浮子等のように道糸ガイド内径より大きいサイズの釣具が固定されていれば、その部分までしか巻き取ることができない。このように、トローリング漁法や、水深が比較的深い海域での浮き釣りにおける上記問題点は、未だに解決されるに至っていない。
【０００８】
【特許文献１】特開平６−２８４８４２号公報
【発明の開示】
【発明が解決しようとする課題】
【０００９】
本願発明は、上記の従来技術における問題点を克服し、トローリング漁法等の船釣りで使用される極端に長い釣糸仕掛けであっても、釣糸仕掛けを手でたぐり寄せること無く、掛かった魚を玉網等で直接取り込めることが可能になるまで、リールによる釣糸の巻取を充分に行うことができ、更には、釣糸に容易に着脱することができる構造を備えた船釣り用釣具を提供することを目的とする。
【課題を解決するための手段】
【００１０】
上記の課題を解決するため、請求項１に記載の船釣り用釣具は、釣糸を走行自在に挿通する釣糸通路と、前記釣糸通路へ釣糸を導入し且つ該釣糸通路から釣糸を取外し可能とする釣糸着脱手段とで構成される釣糸案内部が、間隔を明けて左右に設けられており、上記左右の釣糸案内部間の釣糸を挟持し、該釣糸に所定値以上の引張力が作用した場合に、該釣糸の挟持が解放される釣糸挟持部を備えたことを特徴とする。
【００１１】
請求項１に記載の発明において、上記の釣糸通路は、少なくとも釣糸を挿通及び排出できる程度の間隙が設けられており、釣糸をリールに巻き取る際に、釣糸通路内における釣糸の走行が邪魔されないように形成されていれば良い。従って、該釣糸通路は、例えば、取付部材に溝状若しくは穴状に形成した態様のもの、或いは取付部材に直接取り付けられる構成にすることができる。
【００１２】
上記したように、釣糸案内部は、所定の間隔を開けて左右両側にそれぞれ設けられており、左側の釣糸通路への釣糸の導入及び該釣糸通路からの釣糸の取り出しは、左側の釣糸案内部に設けられた釣糸着脱手段を介して行われる。同様に、右側の釣糸通路への釣糸の導入及び取り出しは、右側の釣糸案内部に設けられた釣糸着脱手段を介して行われる。
【００１３】
上記の釣糸挟持部は、釣糸に所定値以上の引張力が作用した場合に釣糸の挟持を解放する手段であれば、特に制限されない。また、材質についても特に制限されず、合成樹脂製のもの以外に、金属から構成された挟持手段を用いることができる。上記の釣糸挟持部としては、例えば、クリップや、クランプ等の挟持手段の他、面ファスナーを使用することもできる。面ファスナーを釣糸挟持部として使用した場合、該釣糸挟持部自体が釣糸の引張力に応じて変形するので、挟持された釣糸部分に対して、均等な引張力が作用する。尚、釣糸挟持部は、使用する釣糸の太さ、錘等の魚仕掛けを構成する各種の釣具の重量や形状、魚仕掛けの作り、本発明の船釣り用釣具を使用する漁場での曳航速度等の使用条件によって、適切な挟持力を有するものを適宜選択する。
【００１４】
請求項２に記載の船釣り用釣具は、請求項１に記載の発明の構成を具備しており、錘及び浮力体の少なくともいずれかを着脱可能に備えた取付部材において、釣糸が走行自在に挿通される釣糸通路と、前記釣糸通路へ釣糸を導入し且つ該釣糸通路から釣糸を取外し可能とする釣糸着脱手段とで構成される釣糸案内部が、間隔を明けて左右に設けられており、上記左右の釣糸案内部間の釣糸を挟持し、該釣糸に所定値以上の引張力が作用した場合に、該釣糸の挟持が解放される釣糸挟持部を前記取付部材に設けたことを特徴とする。
【００１５】
請求項２に記載の発明を構成する取付部材として、プラスチック等の合成樹脂、アルミニウム合金等の金属で構成されたものを使用することができ、その形状として、円形、楕円形、三角形、方形、多角形等の板状体、或いは、円錐、角錐、角柱、半球状体、楕円体、丘状体、平面視略水滴状体等の立体的形状に構成されたものを適宜選択して使用することができる。また、これら以外に、魚、動物、キャラクター等をモチーフとして構成された形状のものを取付部材として使用しても良い。
【００１６】
また、請求項２に記載の船釣り用釣具に装着される浮力体は、浮力を作用させる構成であればその材質について特に限定されるものではなく、例えば、ステンレス材料、所定の表面加工が施された金属材料が中空状に形成されたもの、或いは発泡樹脂等の合成樹脂で形成されたものを挙げることができる。
【００１７】
請求項３の船釣り用釣具は、請求項２に記載の船釣り用釣具において、前記釣糸挟持部は、上記取付部材において、前記釣糸案内部が設けられた面側と反対の面側の位置に設けられたことを特徴とする。
【００１８】
請求項４の船釣り用釣具は、請求項２に記載の船釣り用釣具の取付部材において、釣糸案内部間の釣糸を取り回して、釣糸挟持部に案内するようにガイド部が突設されたことを特徴とする。ガイド部は、プラスチック等の合成樹脂、或いはアルミニウム合金等の金属で形成され、円柱、角柱等の種々の断面形状のものを採用することができる。また、上記ガイド部は、取付部材上に確実に固定される方法により少なくとも１本以上突設される。その固定方法として、例えば、モールド成形法により取付部材と同一材料で一体的に形成する方法、接着剤等による取付方法、ボルト等の締結部材による取付方法を例示することができる。
【００１９】
また、ガイド部の高さ及び直径は、特に制限されないが、釣糸と絡まず、釣糸案内部間の釣糸を張架させて釣糸挟持部に取り回せる程度の高さと、釣糸を取り回した状態において、釣糸Ａの引張力で容易に変形しない程度の直径を有するように形成される。
【００２０】
請求項５の船釣り用釣具は、錘等を備えた取付部材の代わりに浮力体を用いる以外、請求項２の構成と共通する。すなわち、請求項５の発明は、釣糸が走行自在に挿通される釣糸通路と、前記釣糸通路へ釣糸を導入し且つ該釣糸通路から釣糸を取外し可能とする釣糸着脱手段とで構成される釣糸案内部が、間隔を明けて浮力体の左右に設けられており、上記左右の釣糸案内部間の釣糸を挟持し、該釣糸に所定値以上の引張力が作用した場合に、該釣糸の挟持が解放される釣糸挟持部を前記浮力体に設けたことを特徴とする。
【００２１】
請求項６の船釣り用釣具は、請求項５に記載の船釣り用釣具において、前記浮力体において上記左右の釣糸案内部間に設けられ、上記釣糸挟持部が釣糸を挟持している状態において、上記左右の釣糸案内部間の釣糸を張架させて、上記釣糸挟持部に案内するガイド通路を備えたことを特徴とする。
【００２２】
尚、上記の浮力体は、浮力を作用させる構成であればその材質について特に限定されるものではなく、例えば、ステンレス材料、所定の表面加工が施された金属材料が中空状に形成されたもの、或いは発泡樹脂等の合成樹脂で形成されたものを挙げることができる。
【発明の効果】
【００２３】
請求項１の船釣り用釣具は釣糸長さを調整できる機能を有している。すなわち、その構成によれば、釣糸に所定値以上の引張力が作用した場合に、釣糸が、釣糸挟持部に止着された状態から解放されて釣糸通路内を自由に走行できる。従って、本発明の船釣り用釣具からルアー等の釣具が連結された部分までの長さに相当する釣糸をリールで巻き取ることができるので、釣糸仕掛けを手でたぐり寄せる危険な作業を不要にすることができる。
【００２４】
請求項１及び２の発明によれば、釣糸挟持部が、左右両側に設けられた釣糸着脱手段間に露出した釣糸を挟持して該釣糸を止着することにより、仕掛けの先端部分にある釣針やルアー等の釣り具から本発明の船釣り用釣具までの釣糸長さを所望の長さに調整することができる。
【００２５】
更に、請求項２の発明の構成によれば、錘及び浮力体の少なくともいずれかが取付部材に着脱可能になっているので、錘又は浮力体を適切なものに交換することにより、仕掛けの沈下速度や遊泳層を調節することができる。すなわち、トローリング漁法を行う場合には、請求項２の船釣り用釣具は、ヒコーキ、又は潜行板若しくは潜行錘として利用できるので、該船釣り用釣具を介して設けられた釣糸仕掛けを所望の深さに沈めることができる。或いは、釣糸仕掛けを遠投することもできるので、キャスティングする場合には、そのキャスト範囲を拡げることができる。
【００２６】
請求項３の発明の構成によれば、釣糸は、釣糸案内部の裏側面に取り回され、取付部材の縁端に当接して適度な摩擦力が働くため、該釣糸挟持部に作用する引張力が軽減される。そのため、釣糸挟持部として強力な挟持力を有するもののみを選択する必要がないので、釣具の形状をコンパクトにすることができる。
【００２７】
請求項４の発明の構成によれば、釣糸に対して、少なくとも１つのガイド部に当接して適度な摩擦力が働くため、釣糸挟持部に作用する引張力が軽減される。また、釣糸を張架するガイド部を多く立設すれば、釣糸挟持部に作用する引張力を更に軽減することができる。このような構成により、本発明の船釣り用釣具が釣糸に止着される強さは、曳航速度等の使用条件に合わせて適宜調整することができる。
【００２８】
請求項５の発明の構成によれば、浮力体を取り付けて使用することができる。また、請求項６の発明の構成によれば、浮力体が使用される。従って、いずれの発明も、トローリング漁法において海面上を滑走させることができ、ヒコーキの代用として使用することができる。また、水深が比較的深い海域周辺の防波堤で浮き釣りをする場合、釣糸仕掛けの長さが釣針を海底に着床させる程度まであっても、請求項５及び６の釣具を使用して釣糸仕掛けを構成すれば、釣糸を容易に巻き取ることができる。また、このように構成された釣糸仕掛けは、中通しウキを使用したものと比べて魚感に優れる。
【発明を実施するための最良の形態】
【００２９】
［第１実施形態］
以下、図面を参照しつつ、本発明の第１実施形態について説明する。
図１及び図２に示すように、本発明の船釣り用釣具１は、左右対称な形状の板状の取付部材２と、釣糸案内部３、３と、該釣糸案内部３、３とは反対側の取付部材２の面に止着された釣糸挟持部４とで構成されている。上記の釣糸案内部３は、その左右両側に設けられる釣糸着脱手段３２、３２と、左右の釣糸着脱手段３２、３２間の釣糸Ａが走行する領域の下端に設けられたガイド部３３、３３とで、構成されている。
【００３０】
上記の取付部材２は、合成樹脂で形成された板状体に形成されており、該取付部材２の下側左右両端部には、ヨリモドシＢ装着用の連結孔２１、２１が設けられており、ヨリモドシＢと連結孔２１、２１を介して、錘Ｃが釣具１に着脱可能になっている。また、取付部材２の下側には、下側に凹状の下縁端２２が形成されているので、取付部材２の下側に取り回された釣糸Ａが、ヨリモドシＢと干渉して損傷を受けることを防止できる。
【００３１】
釣糸案内部３は、図３の拡大断面図に示されるように、断面が略ヘアピン状に折り返された形状に形成され、その折り返された部分が釣糸着脱手段３２を構成している。該釣糸着脱手段３２と取付部材２との間には、釣糸通路３１が形成されて、釣糸が自由に走行することができる。
【００３２】
上記した以外にも、プラスチック等の硬質な合成樹脂等の弾性力が働く材質でクランプ手段を取付部材２の左右に設け、該クランプ手段の内側、或いはクランプ手段と取付部材２間に、釣糸Ａの走行が自由に行われる程度の間隙が常に形成されるように構成することにより、釣糸通路３１及び釣糸着脱手段３２が一体的に設けられた釣糸案内部３を構成することができる。このような構成によれば、クランプ手段は、上記のように形成された間隙内に釣糸Ａを外部から導入する際、或いは該間隙から取り外す際に、弾性変形して開口させることができ、導入された釣糸Ａは上記の間隙内で自由に走行できる。このように、クランプ手段を用いることによっても、釣糸通路３１及び釣糸着脱手段３２を一体的に構成できる。
【００３３】
また、釣糸案内部３として、上記のクランプ手段以外に、止着具を用いることにより、釣糸通路３１及び釣糸着脱手段３２を一体的に構成しても良い。例えば、釣糸着脱手段３２として、雄ボタン片と折曲自在なヒンジ部を介して該雄ボタン片に一体形成される雌ボタン片で構成し、雄ボタン片には係止突起を突設し、雌ボタン片には雄ボタン片の係止突起が係嵌する係止穴を穿設する。そして、釣糸通路３１として、雄ボタン片と雌ボタン片を係嵌させた状態において、釣糸Ａの走行が自由に行われる程度の間隙を形成すれば、釣糸案内部３が構成される。
【００３４】
尚、左右の釣糸通路３１、３１間にギャップがあると、釣糸Ａを巻き取り難くなるだけでなく、釣糸Ａを巻き取る際に、釣糸Ａの特定部分に過剰な引張力が作用して釣糸Ａが破断されるおそれがあるので、挿通された釣糸Ａがほぼ一直線になるように、左右の釣糸通路３１、３１は、図１及び図２に示すように、ほぼ同一直線状に並ぶように配置することが好ましい。
【００３５】
ガイド部３３は、釣糸Ａが走行できる領域の下端が形成されるように、左右の釣糸着脱手段３２、３２に直近して、釣糸通路３１、３１の下端に相当する位置に設けられている。そのため、釣糸Ａが走行自在になっている状態において、上記左右の各釣糸通路３１へ釣糸Ａが確実に案内され、上記の釣糸着脱手段３２から釣糸Ａが外れるのを阻止することができる。また、上記取付部材２の下側から裏面に、左右の釣糸案内部３、３の間の釣糸Ａを取り回し、釣糸挟持部４に該釣糸Ａを狭着させた状態において、該釣糸Ａには左右のガイド部３３、３３及び取付部材２の下縁端２２に当接して適度な摩擦力が働くから、該釣糸挟持部４に作用する引張力は軽減される。
【００３６】
また、図３に示すように、上記のガイド部３３は、釣糸通路３１よりも高く凸状に形成されているので、釣糸着脱手段３２から、釣糸Ａが抜け出すことを防止できる。
【００３７】
釣糸挟持部４は、釣糸案内部３が設けられた取付部材２の面の裏面側において、左右の釣糸案内部３、３の中間の位置に、下向きに釣糸Ａを挟持する向きにリベット等の固定部材４２で固定されている。釣糸挟持部４は、プラスチック等の硬質な合成樹脂等の弾性力が働く材質を加工して形成され、図４に示すように弾性板４１からなるクリップで構成したものである。そして、所定値以上の引張力が作用した場合に、釣糸Ａは、釣糸挟持部４の挟持から解放される。
【００３８】
上記のクリップ以外に、面ファスナーを用いて、釣糸挟持部４を構成することができる。例えば、面ファスナーを適宜折り曲げて使用できるように、その一部を固定し、他方を折り返して面ファスナー間に釣糸Ａを挟み込む構成にすることができる。この場合、折り返す箇所と、互いに貼り合わせる部分を適宜変更することで、釣糸挟持部４に作用する引張力を調整できる。このような構成により、船釣り用釣具１が釣糸Ａに止着される強さは、曳航速度等の使用条件に合わせて適宜調整しやすくすることができる。
【００３９】
本発明の船釣り用釣具１は、具体的には、次のように使用される。まず、海中に曳き流す釣糸長さを勘案して、釣糸Ａの適切な箇所を選び、この箇所の釣糸部分を釣糸着脱手段３２、３２から釣糸通路３１、３１内に導入することにより、船釣り用釣具１を釣糸Ａに装着する。次に、釣糸案内部３、３間の釣糸部分を左右のガイド部３３、３３に張架させた状態で、取付部材２の下縁端２２から取付部材２の裏側に取り回し、釣糸挟持部４で挟持する。このように、既に構成された仕掛けであっても、釣針やルアー等の釣具から船釣り用釣具１までの釣糸長さを所望の長さに容易に調整できるので、状況に即座に対応して釣糸仕掛けを変更できる。
【００４０】
そして、図９に例示するように、漁船Ｉ上の釣り人が、竿Ｄから上記釣糸仕掛けを曳き流して魚釣りを行う。仕掛けに掛かった魚が釣糸Ａを強く引く場合や、竿Ｄで魚を引き寄せる場合等、釣糸Ａに所定値以上の引張力が作用した場合に、釣糸Ａの挟持が釣糸挟持部４から解放されて、図５に示すように、釣糸案内部３、３間の釣糸部分が直線状になるので、釣糸Ａは、釣糸通路３１内を自由に走行できる。従って、船釣り用釣具１からルアー等の釣具が連結された部分までの長さに相当する釣糸Ａをリールで巻き取ることができる。
【００４１】
［第２実施形態］
以下、図面を参照しつつ、本発明の第２実施形態について説明する。
図６（ａ）に示す第２実施形態の船釣り用釣具１も、第１実施形態と同様に、左右対称な板状の取付部材２と、釣糸案内部３、３と、該釣糸案内部３、３とは反対側の取付部材２の面に止着された釣糸挟持部４とで、構成されている。釣糸案内部３は、金属板バネ、プラスチック等の板状の弾性部材からなる釣糸着脱手段３２と、断面が略Ｕ字状の部材からなるガイド部３３とで、構成されている（図６（ｂ）参照）。尚、ガイド部３３は、プラスチック等の合成樹脂、アルミニウム合金等の金属で構成され、その縁端３３ａ及び３３ｂが、滑らかな円弧状に形成されている。これにより、釣糸Ａには、過剰な引張力が作用しないようになっている。
【００４２】
また、取付部材２には、第１実施形態と同様に、下側の左右両端部には、ヨリモドシ装着用の連結孔２１、２１が設けられており、取付部材２の下側には、左右の釣糸案内部３、３の間の釣糸Ａを取り回し、釣糸挟持部４に該釣糸Ａを狭着させるための下縁端２２が略凹字状に形成されている。
【００４３】
第２実施形態の船釣り用釣具１も、前記第１実施形態の船釣り用釣具１と同様に、釣糸着脱手段３２、３２から釣糸通路３１、３１内に釣糸Ａを導入することにより、釣糸Ａに装着される（図６（ｂ）参照）。そして、釣糸案内部３、３間の釣糸部分を左右のガイド部３３、３３のそれぞれの縁端３３ａ、３３ａに張架させた状態で、取付部材２の裏側に取り回し、釣糸挟持部４で挟持することにより、船釣り用釣具１は、釣糸Ａに止着された状態になる。次いで、図９に例示するように、釣糸仕掛けを曳き流して魚釣りを行う。釣糸Ａに所定値以上の引張力が作用した場合に、釣糸Ａの挟持が釣糸挟持部４から解放されて、釣糸Ａは、釣糸通路内を自由に走行できる状態となるので、船釣り用釣具１からルアー等の釣具が連結された部分までの長さに相当する釣糸Ａをリールで巻き取ることができる。
【００４４】
第２実施形態の船釣り用釣具１は、釣糸着脱手段３２を板状の弾性部材で形成し、ガイド部３３を断面が略Ｕ字状に形成された部材から構成したものであるから、構造が簡略であり、製造コストに優れるものである。
【００４５】
［第３実施形態］
以下、図面を参照しつつ、本発明の第３実施形態について説明する。
図７（ａ）、（ｂ）に示す第３実施形態の船釣り用釣具１は、略円形状の取付部材２と、該取付部材２の左右両端に突設された釣糸案内部３、３と、該釣糸案内部３、３と同じ側の取付部材２の面に固定された釣糸挟持部４と、釣糸案内部３、３間の釣糸を該釣糸挟持部４に取り回すために取付部材２に円柱状に立設された複数本のガイド部５で、構成されている。釣糸案内部３は、クリップ状に形成された釣糸着脱手段３２で構成され、該釣糸着脱手段３２には、外部から導入された釣糸Ａが走行自在に挿通される釣糸経路３１が形成されている。
【００４６】
上記の取付部材２は、合成樹脂、金属等で形成された左右対称な板状体に形成されており、錘６ａ（又は浮力体６ｂ）を着脱可能に取り付けるための取付孔２３が４箇所に設けられている。上記の錘６ａ（又は浮力体６ｂ）は、取付部材２に取り付け可能であれば、自由に設定することができ、水の密度や使用状況に応じて適宜変更することができる。また、錘６ａ（又は浮力体６ｂ）を取付部材２に取り付ける方法として、図７（ｂ）に示されるように、取付ボルト２４等の締結部材を使用した固定方法を例示することができる。尚、図７（ｂ）、（ｃ）に具体例として示された錘６ａ（又は浮力体６ｂ）は半球形状であるが、所望により、半円柱状、角柱状、角錐状、円錐状等の形状にすることができ、左右対称の立体形状であることが好ましい。また、その取付位置についても、着脱可能の固定され、使用時に容易に脱落しないのであれば、４点支持する以外に１点支持でも良い。
【００４７】
釣糸着脱手段３２は、プラスチック等の硬質な合成樹脂等の弾性力が働く材質で、クリップ状に形成されており、釣糸を導入できるように下側を開口させて、取付部材２の左右両端に突設される。また、釣糸着脱手段３２は、開口部分が、爪片３２ａと３２ｂが噛み合うように形成されており、釣糸経路３１に導入された釣糸Ａが、釣糸着脱手段３２から抜け出すことを防止できるようになっている。
【００４８】
釣糸挟持部４は、開閉板４３と、該開閉板４３を常時閉塞方向に付勢するバネ４４と、回動軸４５で構成され、回動軸４５を中心に回動可能に設けられている。また、ガイド部５は、円柱状に形成され、釣糸案内部３、３の中間付近に取付部材２と一体的に突設されている。
【００４９】
この船釣り用釣具１を釣糸Ａに装着するには、釣糸Ａで、釣糸着脱手段３２の爪片３２ａと３２ｂを押し開き、該釣糸Ａを釣糸経路３１内に嵌め込むようにする。このようにして、釣糸Ａを左右両側の釣糸経路３１に導入すれば、第３実施形態の船釣り用釣具１は、釣糸Ａの任意の位置まで移動させることができる。
【００５０】
船釣り用釣具１を釣糸Ａの任意の箇所に止着するには、船釣り用釣具１を釣糸Ａに装着した後、左右の釣糸案内部３、３の間の釣糸Ａをヘアピン状に曲げ束ねた状態で、ガイド部５の少なくとも１本以上に張架させて取り回し、釣糸挟持部４で該釣糸Ａを狭着させれば良い（図７（ｄ））。
【００５１】
上記のようにして、第３実施形態の船釣り用釣具１は、釣糸Ａの任意の箇所に止着された状態で装着される。錘６ａを船釣り用釣具１に装着したものは、前記第１、２の実施形態の船釣り用釣具１と同様に、釣糸仕掛け１を海面下に曳き流して魚釣りを行う。また、浮力体６ｂを船釣り用釣具１に装着したものは、図１０に例示するように、船釣り用釣具１を海面上に浮かせた状態で、釣糸仕掛けを曳き流して魚釣りを行う。このように、第３実施形態の船釣り用釣具１は、潜行錘としても、ヒコーキの代用としても使用することができる。
【００５２】
［第４実施形態］
以下、図面を参照しつつ、本発明の第３実施形態について説明する。
図８（ａ）に示す第４実施形態の船釣り用釣具１は、合成樹脂又は木材により左右対称の形状に形成された浮力体７と、該浮力体７上で釣糸Ａを挟持するための釣糸挟持部４とで構成されている。該浮力体７には、釣糸案内部３とガイド通路７３が溝状に形成されている。そして、釣糸案内部３は、ガイド通路７３の左右両側に設けられ、釣糸Ａが走行自在に挿通可能になるように形成された釣糸経路溝７１と、該釣糸通路溝７１へ釣糸Ａを導入し且つ該釣糸通路溝７１から釣糸Ａを取外し可能とする釣糸着脱板７２とで、構成されている。尚、釣糸着脱板７２は、金属板バネ、プラスチック等の板状の弾性部材から構成され、釣糸Ａが走行できる間隙を上記釣糸通路溝７１内に形成できるように固定される。
【００５３】
ガイド通路７３は、釣糸案内部３、３の中間から、釣糸挟持部４の方向へ溝状に形成されており、ガイド通路７３の左右両側の釣糸案内部３間の釣糸Ａをガイド縁部７３ａ、７３ａに張架させて、上記釣糸挟持部４に案内できるようになっている。尚、上記のガイド縁部７３ａ、７３ａは、釣糸Ａに過剰な引張力が作用しないように滑らかに形成されている。
【００５４】
釣糸挟持部４として、釣糸Ａに所定値以上の引張力が作用した場合に、釣糸Ａの挟持を解放する挟持手段を用いることができる。例えば、第３実施形態を構成する釣糸挟持部４を用いて、図８（ａ）乃至（ｃ）のように構成することとができる。この場合、浮力体７は、釣糸挟持部４の先端と当接する部分において、図８（ｃ）に示す圧接座７４のような凹状に形成されるのが好ましい。または、図８（ｃ）に示す凹状以外の形状として、平面状に形成することもできる。このように形成すれば、釣糸Ａには、ガイド上縁部７３ｂにおいても適度な摩擦力が作用して、圧接座７４における釣糸部分に作用する引張力が低減するので、釣糸挟持部４に作用する引張力は軽減される。
【００５５】
第４実施形態の船釣り用釣具１も、第１乃至第３実施形態の船釣り用釣具１と同様な方法により使用することができる。まず、海中に曳き流す釣糸長さを勘案して、釣糸Ａの適切な箇所を選ぶ。次に、釣糸着脱板７２、７２から釣糸経路溝７１内に釣糸Ａを導入して、船釣り用釣具１を釣糸Ａに装着される。次に、ガイド通路７３から取り出された釣糸案内部３の釣糸部分が、ガイド縁部７３ａ、７３ａと釣糸挟持部４との間で張架されるように、ガイド通路７３の左右両側の釣糸案内部３間の釣糸部分をガイド通路７３に沿って釣糸挟持部４に案内する。そして、上記の釣糸部分が、圧接座７４及び釣糸挟持部４の開閉板４３との間に挟みこまれるように、釣糸挟持部４で挟持させて、船釣り用釣具１を釣糸Ａに止着する（図８（ｄ）参照）。
【００５６】
上記のようにして、第４実施形態の船釣り用釣具１は釣糸Ａの任意の箇所に装着され、図１０に例示するように、船釣り用釣具１を海面上に浮かせた状態で釣糸仕掛けを曳き流して魚釣りを行う。特に、第４実施形態の船釣り用釣具１は、トローリング漁法に使用した場合には、浮力により水面を滑走させることができ、ヒコーキの代用として使用することができる。また、水深が比較的深い海域周辺で浮き釣りをする場合、釣糸仕掛けとして、釣竿よりも長いものが用いられるが、第４実施形態の船釣り用釣具１を使用すれば、釣糸を容易に巻き取ることができる釣糸仕掛けを構成することができる。そして、このように構成された釣糸仕掛けは、中通しウキを使用したものと比べて魚感に優れる。
【図面の簡単な説明】
【００５７】
【図１】本発明の第１実施形態に係る船釣り用釣具１の正面図である。
【図２】図１に示す釣具１の背面図である。
【図３】図１のＡ−Ａ’線断面図である。
【図４】図２のＢ−Ｂ’線断面図である。
【図５】図１に示す船釣り用釣具１において、釣糸Ａが、釣糸挟持部４の止着から解放され、釣糸通路３１内を自由に走行できる状態を示す正面図である。
【図６】（ａ）本発明の第２実施形態に係る船釣り用釣具１の全体斜視図である。（ｂ）図６（ａ）の釣糸案内部３の拡大断面図である。
【図７】（ａ）本発明の第３実施形態に係る船釣り用釣具１の平面図である。（ｂ）図７（ａ）に示す船釣り用釣具１の側面図である。（ｃ）図７（ａ）に示す船釣り用釣具１において、釣糸Ａが、釣糸挟持部４に止着された状態を示す全体斜視図である。（ｄ）図７（ａ）の釣糸挟持部４の拡大断面図である。
【図８】（ａ）本発明の第４実施形態に係る船釣り用釣具１の正面図である。（ｂ）図８（ａ）の船釣り用釣具１の側面図である。（ｃ）図８（ａ）のＣ−Ｃ’線断面図である。（ｄ）図８（ａ）に示す船釣り用釣具１を釣糸Ａに装着し、釣糸挟持部４で船釣り用釣具１を釣糸Ａに止着させた状態を示す全体斜視図である。
【図９】本発明の第１乃至第３実施形態の船釣り用釣具１の使用状態の説明図（側面図）である。
【図１０】本発明の第３、第４実施形態の船釣り用釣具１の使用状態の説明図（側面図）である。
【図１１】一般的なトローリング漁法の説明図（平面図）である。
【符号の説明】
【００５８】
１      船釣り用釣具
２      取付部材
２１    連結孔
２２    下縁端
２３    取付孔
２４    取付ボルト
３      釣糸案内部
３１    釣糸通路
３２    釣糸着脱手段
３３    ガイド部
４      釣糸挟持部
５      ガイド部
６ａ    錘
６ｂ    浮力体
７      浮力体
７１    釣糸通路溝
７２    釣糸着脱板
７３    ガイド通路
７４    圧接座
Ａ      釣糸
Ｃ      錘
【図１】
2006288274.tif 000003
【図２】
2006288274.tif 000004
【図３】
2006288274.tif 000005
【図４】
2006288274.tif 000006
【図５】
2006288274.tif 000007
【図６】
2006288274.tif 000008
【図７】
2006288274.tif 000009
【図８】
2006288274.tif 000010
【図９】
2006288274.tif 000011
【図１０】
2006288274.tif 000012
【図１１】
2006288274.tif 000013